(57)【要約】      （修正有）【課題】透明パネル面に平行な方向にＬＥＤテープを用いて光を照射して透明パネルを発光させる場合に、透明パネルの厚さをＬＥＤテープの幅に関わりなく設定できる透明パネル発光補助部材を提供する。【解決手段】透明パネル発光補助部材３０は、平面上に存する直線又は曲線に沿う細長い部材であって、前記直線又は曲線に二分される前記平面の一方側に開口が向かうよう形成され、前記部材３０の長手方向に沿って形成される、所定のパネルの縁部を狭持する溝部３１と、前記溝部３１の内部に設けられ、帯体上にＬＥＤを所定間隔で配したＬＥＤテープ４０を前記溝部３１の長手方向に沿い、かつ、各ＬＥＤテープ４０が前記各溝部３１の開口方向に直接又は間接的に光を照射するように収容されるＬＥＤテープ収容部３３とを設ける。【選択図】図３
0003203074.tif 000002
【実用新案登録請求の範囲】
【請求項１】
平面上に存する直線又は曲線に沿う細長い部材であって、
前記直線又は曲線に二分される前記平面の一方側に開口が向かうよう形成される、前記部材の長手方向に沿って形成される、所定のパネルの縁部を狭持する溝部と、
前記溝部の内部に設けられる、帯体上にＬＥＤを所定間隔で配したＬＥＤテープを前記溝部の長手方向に沿い、かつ、各ＬＥＤテープが前記各溝部の開口方向に直接又は間接的に光を照射するように収容するＬＥＤテープ収容部と
を有する透明パネル発光補助部材。
【請求項２】
前記溝部は、前記直線又は曲線に二分される前記平面のそれぞれに開口が向かうよう形成され、
前記ＬＥＤテープ収容部は前記溝部の少なくとも一方の内部に設けられる
を有する請求項１に記載の透明パネル発光補助部材。
【請求項３】
前記ＬＥＤテープ収容部は前記溝部の両方の内部に設けられる請求項２に記載の透明パネル発光補助部材。
【請求項４】
前記ＬＥＤテープ収容部は、前記ＬＥＤテープを、前記平面に直交する方向に光を照射するように収容するものであって、前記ＬＥＤテープの光を前記溝側に向くように配置される反射板が前記溝内部に設けられることで、前記ＬＥＤテープが前記溝部方向に間接的に光を照射するように収容するものである請求項１から３のいずれか１項に記載の透明パネル発光補助部材。
【請求項５】
請求項１から４のいずれか１項に記載の透明パネル発光補助部材と、
透明パネル発光補助部材の前記ＬＥＤテープ収容部に収容される帯体上にＬＥＤを所定間隔で配したＬＥＤテープと、
前記透明パネル発光補助部材の前記ＬＥＤテープ収容部が内部に設けられた溝部に縁部が狭持固定される透明パネルと
を有する透明パネルの発光構造。
【考案の詳細な説明】
【技術分野】
【０００１】
本考案は、ＬＥＤテープを用いて透明なパネルに縁部から光を照射して発光させるための部材及び当該部材を用いた透明パネルの発光構造に関する。
【背景技術】
【０００２】
広告用や掲示用の透明なパネルを発光させることで目立たせる場合、ＬＥＤなどの光源が表面から見えると、光源部分のみが目立ってしまうため、光源はパネル枠内などに見えないように収め、光源はパネルの板面に平行な方向に光を照射するようにすることで間接的に透明パネル内を発光させることが行われている。
板面に平行な光を透明パネル内に照射する方法は、下記特許文献１〜３に記載されているように、透明パネル内にＬＥＤテープが収納できる溝を形成し、当該溝内にＬＥＤテープを板面に平行な方向を向くように収納することで行うことが多い。
【先行技術文献】
【特許文献】
【０００３】
【特許文献１】特開２０１５−３２４６１号公報
【特許文献２】特開２０１１−９５４３９号公報
【特許文献３】登録実用新案第３２０１５９９号公報
【考案の概要】
【考案が解決しようとする課題】
【０００４】
しかし、上記の考案に示すようにパネルに溝を形成してＬＥＤテープを収容する方法を採用する場合、透明パネルには、ＬＥＤテープが収納でき、さらに強度も確保できるように溝を形成する必要があり、透明パネルに相当程度の厚みが必要となるため、透明パネルのコストが高くなってしまうという問題が生じる。
本考案は、以上のような問題に鑑みて、透明パネル面に平行な方向にＬＥＤテープを用いて光を照射して透明パネルを発光させる場合に、透明パネルの厚さをＬＥＤテープの幅に関わりなく設定できる補助具及び当該補助具を用いた構造を提供することを課題とする。
【課題を解決するための手段】
【０００５】
上記課題を解決するために、本考案は、次のような構成を有する。
請求項１に記載の考案は、平面上に存する直線又は曲線に沿う細長い部材であって、  前記直線又は曲線に二分される前記平面の一方側に開口が向かうよう形成される、前記部材の長手方向に沿って形成される、所定のパネルの縁部を狭持する溝部と、前記溝部の内部に設けられる、帯体上にＬＥＤを所定間隔で配したＬＥＤテープを前記溝部の長手方向に沿い、かつ、各ＬＥＤテープが前記各溝部の開口方向に直接又は間接的に光を照射するように収容するＬＥＤテープ収容部とを有する透明パネル発光補助部材である。
請求項２に記載の考案は、前記透明パネル発光補助部材において、前記溝部は、前記直線又は曲線に二分される両平面のそれぞれに向かうよう形成され、前記ＬＥＤテープ収容部は前記溝部の少なくとも一方の内部に設けられるものである。
請求項３に記載の考案は、請求項２に記載の透明パネル発光補助部材において、前記ＬＥＤテープ収容部は前記溝部の両方の内部に設けられるものである。
請求項４に記載の考案は、前記透明パネル発光補助部材において、前記ＬＥＤテープ収容部は、前記ＬＥＤテープを、前記平面に直交する方向に光を照射するように収容するものであって、前記ＬＥＤテープの光を前記溝側に向くように配置される反射板が前記溝内部に設けられることで、前記ＬＥＤテープが前記溝部方向に間接的に光を照射するように収容するものである。
請求項５に記載の考案は、前記透明パネル発光補助部材と、透明パネル発光補助部材の前記ＬＥＤテープ収容部に収容される帯体上にＬＥＤを所定間隔で配したＬＥＤテープと、前記透明パネル発光補助部材の前記ＬＥＤテープ収容部を内部に有する溝部に縁部が狭持固定される透明パネルとを有する透明パネルの発光構造である。
【考案の効果】
【０００６】
以上のような構成により、本考案は、次のような効果を奏する。
請求項１に記載の考案は、ＬＥＤテープをＬＥＤテープ収容部に収容し、溝部によって透明パネルの縁部を狭持固定すれば、透明パネルに縁部からＬＥＤテープの光を照射して発光させることができる。そして、ＬＥＤテープを収容する溝部の内部は透明パネルの厚みに関わりなく形成することができるので、ＬＥＤテープのサイズに関わりなく、溝の幅を適宜設定することで任意の厚さの透明パネルに対応することができる。
請求項２に記載の考案は、同一平面内に反対方向を向く溝を形成することで、透明パネルを一方の溝に固定し他方の溝に他のパネルを突き合せて固定することができる。
請求項３に記載の考案は、両方の溝の内部にＬＥＤテープを収容できるので、それぞれの溝に透明パネルを狭持固定すれば、それぞれの透明パネルを発光させることができる。
請求項４に記載の考案は、ＬＥＤテープを透明パネル面に沿わせて配置することで、ＬＥＤテープの幅方向が透明パネル厚さ方向に突出しないようにできるので、透明パネル発光補助部材自体を薄く形成することが可能となる。
請求項５に記載の考案は、前記透明パネル発光補助部材を用いることで、薄い透明パネルを縁部からの照射で発光できる発光透明パネルを得ることができる。
【図面の簡単な説明】
【０００７】
【図１】実施形態１、２に係る透明発光パネルの正面図である。
【図２】実施形態１に係る図１の一部拡大破断図である。
【図３】図２のＡ−Ａ線断面図である。
【図４】実施形態２に係る図１の一部拡大破断図である。
【図５】図４のＢ−Ｂ線断面図である。
【図６】変形例に係る透明パネル発光補助部材の断面図である。
【図７】（ａ）（ｂ）ともに変形例に係る透明発光パネルを示す斜視図である。
【考案を実施するための形態】
【０００８】
以下、本考案の実施の形態について、図面を参照しながら説明する。
（実施形態１）
図１に本実施形態に係る透明発光パネルＸの正面図を示し、図２に図１の点線で囲った部分Ｅの拡大破断図を示し、図３に図２のＡ−Ａ線断面図を示す。透明発光パネルＸは、中央パネル１０、外縁パネル２０、発光補助部材３０、ＬＥＤテープ４０を有する。
中央パネル１０は透明な長方形状のアクリル板からなり、ここでは厚さが５ｍｍのものが用いられる。中央パネル１０表面には文字や模様からなる装飾印刷１１がプリントされている。外縁パネル２０は透明な中央パネル１０と同じ厚さを有するアクリル板からなり、4枚で中央パネル１０の各縁部に縁部を突き合せて配置されることで全体として長方形状の外縁を形成する。なお、外縁パネル２０のもっとも外縁側に位置する縁部には反射板２１が設けられている。
【０００９】
発光補助部材３０は、中央パネル１０の各縁部と外縁パネル２０の内側の縁部との間に固定される細長い部材であり、図３に示すように、両側に中央パネル１０又は外縁パネル２０を固定する溝３１、３１が形成され、溝３１、３１の間に仕切り３２が設けられている。仕切り３２が設けられる中央部分の空間は溝３１の幅よりも大きく形成され、仕切り３２の高さと後述するＬＥＤテープ４０の幅とがほぼ一致するように形成される。この仕切り３２と溝３１との間に形成される左右の空間がＬＥＤテープを収容固定するＬＥＤテープ収容部３３を形成する。
ＬＥＤテープ４０は、チップ型ＬＥＤをテープの上に等間隔で配置した、一般的に市販されている発光装置である。ここではチップ型ＬＥＤの幅が５ｍｍのものが採用されている。ＬＥＤテープ４０は図３に示すように発光補助部材３０の底面が仕切り３２に接触し、ＬＥＤの照射方向が溝３１方向を向くように、左右のＬＥＤテープ収容部３３にそれぞれ固定される。また、ここでは左右のＬＥＤテープは異なる種類のＬＥＤが用いられ、外縁パネル２０側を照らすＬＥＤテープ４０はＲＧＢの各色を発光するＬＥＤとし、中央パネル１０側を照らすＬＥＤテープ４０は白色のＬＥＤとしている。
【００１０】
以上のような構成を有する透明発光パネルＸは、透明発光パネルＸは壁面などに固定し、ＬＥＤテープ４０に通電して発光させると、ＬＥＤテープによって光が縁部から照射される中央パネル１０と、外縁パネル２０とが発光して装飾効果を高めることができる。そして、図３に示すようにＬＥＤテープ４０の固定される位置が、中央パネル１０及び外縁パネル２０とは分離した発光補助部材３０内に設けられるので、ＬＥＤテープ４０の幅と関わりなく、任意の厚さの透明パネルをＬＥＤテープによって発光させることが可能となる。
【００１１】
（実施形態２）
実施形態２に係る透明発光パネルＹは正面図は図１に示す実施形態１に係る透明パネルＸと同じである。図４に実施形態２における図１の点線で囲った部分Ｅの拡大破断図を示し、図５に図４のＢ−Ｂ線断面図を示す。透明発光パネルＹは、中央パネル１０、外縁パネル２０、発光補助部材６０、ＬＥＤテープ４０を有する。中央パネル１０、外縁パネル２０、ＬＥＤテープ４０は実施形態１で用いたものと同じであるので説明を省略する。なお、ＬＥＤテープ４０の配置位置は異なるが、この点は後述する。
図４、５に示すように発光補助部材６０は、中央パネル１０の各縁部と外縁パネル２０の内側の縁部との間に固定される細長いアルミ製の押し出し成型された部材である。発光補助部材６０は図３に示すように、両側に中央パネル１０又は外縁パネル２０を固定する溝６１、６１が形成され、溝６１、６１との間には仕切り６２が斜め４５度の傾斜をもって設けられている。仕切り６２は鏡面に仕上げられることで反射板としての機能を果たす。そして、溝６１、６１内面のそれぞれ仕切り６２が面する上下の内面にはＬＥＤテープ４０が嵌る凹所からなるＬＥＤテープ収納部６３が形成されている。ＬＥＤテープ４０は光が反射板を形成する仕切り６２に向かって照射されるように、テープ部分がＬＥＤテープ収納部６３に固定される。なお、発光補助部材６０はＬＥＤテープ４０のテープ部分が中央パネル１０、外縁パネル２０のパネル面に平行に固定されるので、中央部を厚くする必要がないので、上下面は互いに平行な板状に形成される。
【００１２】
以上のような構成を有する透明発光パネルＹは、透明発光パネルＹは壁面などに固定し、ＬＥＤテープ４０に通電して発光させると、ＬＥＤテープ４０が照射する光がまず反射板を形成する仕切り６２に照射されて反射し、反射された光が中央パネル１０と、外縁パネル２０の縁部からパネル面に平行に照射される。これによって、中央パネル１０と、外縁パネル２０とが発光して装飾効果を高めることができる。
そして、やはり図５に示すようにＬＥＤテープ４０の固定される位置が、中央パネル１０及び外縁パネル２０とは分離した発光補助部材３０内に設けられるので、ＬＥＤテープ４０の幅と関わりなく、任意の厚さの透明パネルをＬＥＤテープ４０によって発光させることが可能となる。そして、ＬＥＤテープ４０が中央パネル１０及び外縁パネル２０のパネル面と平行に配置されることで、発光補助部材６０を薄く形成できるので、透明発光パネルＹ全体を薄くすることが可能となる。
【００１３】
なお、上記実施形態に示す発光補助部材の形状は例示であり、透明パネルを保持する溝が形成され、溝内に透明パネルに向かって光を照射するようにＬＤＥテープを保持する構造であれば種々の変形が可能である。図６に変形例に係る発光補助部材９０の断面図を示す。発光補助部材９０は、発光補助部材６０の変形例であり、溝９１を形成する上下部分が平行な板により形成され中央が断面形状円形に膨らむような形状をしている。発光補助部材９０はより薄い透明パネルを保持することに好適である。
また、上記実施形態に示す透明発光パネルの構造も例示であり、発光補助部材を用いて透明パネルを発光させる形態であれば種々の変形が可能である。例えば、図７（ａ）に示す透明発光パネルＶは、実施形態１に示す透明発光パネルＸの上辺に短い発光補助部材３０の一方の溝３１を係合させ、他方の溝３１に小さな透明パネル１５を係合させている。このように発光補助部材を用いて透明パネルを連ねていくことが可能である。また、図７（ｂ）に示すような透明発光パネルＷのように短い発光補助部材３０の一方の溝に透明パネル１５を係合させ、他方に溝に脚のついた不透明な板体からなる台座７０を係合させることで、透明パネル１５に台座を設けるような構造を採ることもできる。この場合、台座７０に係合させる溝はＬＥＤテープを必要としない。また、この形状を採る事が前提となる発光補助部材は一方の溝にはＬＥＤテープ収納部を設けなくてもよい。
さらに、上記実施形態では固定する透明パネルの厚さをそれぞれ同じにしているが、互いの厚さを変更してもよい。また、前記発光補助部材は真っ直ぐな形状を例示しているが、透明パネルの縁部が曲線を形成している場合に、これに溝が嵌るように曲線に沿うような形状とすることができる。
【符号の説明】
【００１４】
Ｘ、Ｙ、Ｖ、Ｗ  透明発光パネル
１０  中央パネル
２０  外縁パネル
２０  ランプ
３０、６０、９０  発光補助部材
３１、６１、９１  溝
３２、６２、９２  仕切り
３３、６３、９３  ＬＥＤテープ収容部
４０  ＬＥＤテープ
【図１】
0003203074.tif 000003
【図２】
0003203074.tif 000004
【図３】
0003203074.tif 000005
【図４】
0003203074.tif 000006
【図５】
0003203074.tif 000007
【図６】
0003203074.tif 000008
【図７】
0003203074.tif 000009